(57)【要約】【課題】  基材シートの撓みの要因が除かれた後に干渉縞が消え易い携帯電子機器用の画面保護シートを提供することを課題とする。【解決手段】  外周部全周に亘って縁部が厚み方向に湾曲した外面層と、外面層の裏面側で少なくとも携帯電子機器の画面に対応する領域を取り囲むように形成された貼付層であって、前記領域と外部とを連通させるための連通領域が形成された貼付層とを備え、該貼付層は、粘着性を有する一対の粘着層と、該一対の粘着層の間で前記厚み方向において該一対の粘着層に重なり合う基材層とを有する携帯電子機器用の画面保護シート。【選択図】図７
2018182641.tif 000002
【特許請求の範囲】
【請求項１】
外周部全周に亘って縁部が厚み方向に湾曲した外面層と、外面層の裏面側で少なくとも携帯電子機器の画面に対応する領域を取り囲むように形成された貼付層であって、前記領域と外部とを連通させるための連通領域が形成された貼付層とを備え、該貼付層は、粘着性を有する一対の粘着層と、該一対の粘着層の間で前記厚み方向において該一対の粘着層に重なり合う基材層とを有する携帯電子機器用の画面保護シート。
【請求項２】
前記外面層の裏面側で少なくとも携帯電子機器の画面に対応する領域に平板状の中間層を備え、該中間層における前記外面層側とは反対側の一面には、複数の凸部が形成されている請求項１に記載の携帯電子機器用の画面保護シート。
【請求項３】
前記貼付層の厚みが前記外面層の厚みの４０％〜６０％となっている請求項１又は請求項２に記載の携帯電子機器用の画面保護シート。
【請求項４】
前記外面層の厚みが０．３３ｍｍであり、前記貼付層の厚みが０．１２５ｍｍ〜０．２ｍｍである請求項１又は請求項２に記載の携帯電子機器用の画面保護シート。
【発明の詳細な説明】
【技術分野】
【０００１】
本発明は、タブレットやスマートフォン等の携帯電子機器の画面を保護するための画面保護シートに関する。
【背景技術】
【０００２】
従来から、携帯電子機器の画面を傷や汚れから保護するための携帯電子機器用の画面保護シート（以下、画面保護シートと称する）が提供されており、かかる画面保護シートには、携帯電子機器の画面を含む前面全体を覆うように構成されたものがある。
【０００３】
例えば、特許文献１に開示されている画面保護シートは、図８及び図９に示すように、平坦な基材シート６０（図８参照）と、該基材シート６０の一面に設けられた粘着層６１（図９参照）とを備えている。
【０００４】
粘着層６１は、図９に示すように、基材シート６０の外周部に並べて複数の粘着部６１０を設けることで構成されており、隣り合う粘着部６１０の間には隙間６１１が形成されている。すなわち、粘着層６１は、携帯電子機器の前面のうち画面外の領域に対応する位置に設けられている。
【０００５】
かかる画面保護シート６によれば、粘着層６１が携帯電子機器の前面に貼り付けられた際に、基材シート６０と携帯電子機器の画面との間の空気が前記隙間６１１から外部に排出されるため、基材シート６０と携帯電子機器の画面とが密着し、両者の間に気泡が残らず、貼り上がりが美しくなるとされている。
【先行技術文献】
【特許文献】
【０００６】
【特許文献１】特開２０１３−１０７９９６号公報
【発明の概要】
【発明が解決しようとする課題】
【０００７】
ところで、上述のような、基材シート６０の外周部に設けた粘着部６１０で粘着層６１が構成されている画面保護シート６では、携帯電子機器の前面に貼り付けられた状態において、基材シート６０と携帯電子機器の画面とは粘着していない（密着しているだけである）ため、両者の間に部分的に微細な隙間が生じることがある。例えば、携帯電子機器の使用者が画面保護シート６越しに画面を押操作したり、表面の汚れを拭ったりすると、撓んだ基材シート６０と携帯電子機器の画面との間に部分的に微細な隙間が生じる結果、該基材シート６０のうち携帯電子機器の画面と密着している部分を中心に干渉縞が発生する。
【０００８】
また、従来の画面保護シート６では、携帯電子機器の前面（画面）と基材シート６０との間隔が実質的になく、基材シート６０は、携帯電子機器の前面に密着しているため、元の形状に復帰せず該前面に部分的に接触したままの状態が続くことがある。
【０００９】
従って、使用者が画面保護シート６の表面から指を離した後、すなわち、基材シート６０の撓みの要因が除かれた後においても長時間に亘って画面保護シート６に発生した干渉縞が残り、使用者に違和感を与えてしまうことがある。
【００１０】
また、近年においては、外周部が全周に亘って外側に張り出すように丸みを帯びた形状の携帯電子機器が増えており、このような携帯電子機器用の画面保護シートとして、外周部全周に亘って縁部が厚み方向に湾曲した基材シートを備えたものも提供されている。
【００１１】
そして、かかる画面保護シートにおいても、基材シートの一面側の外周部には粘着部で構成された貼付層が形成されているため、特許文献１に開示されている画面保護シート６と同様の問題が生じることになる。
【００１２】
そこで、本発明は、かかる実情に鑑み、基材シートの撓みの要因が除かれた後に干渉縞が消え易い携帯電子機器用の画面保護シートを提供することを課題とする。
【課題を解決するための手段】
【００１３】
本発明の携帯電子機器用の画面保護シートは、外周部全周に亘って縁部が厚み方向に湾曲した外面層と、外面層の裏面側で少なくとも携帯電子機器の画面に対応する領域を取り囲むように形成された貼付層であって、前記領域と外部とを連通させるための連通領域が形成された貼付層とを備え、該貼付層は、粘着性を有する一対の粘着層と、該一対の粘着層の間で前記厚み方向において該一対の粘着層に重なり合う基材層とを有する。
【００１４】
かかる構成によれば、携帯電子機器に貼り付けられる貼付層では、一対の粘着層の間に基材層が設けられているため、外面層で携帯電子機器の画面を覆うようにして貼付層を携帯電子機器に貼り付けた際に、基材層の厚みの分だけ外面層と携帯電子機器の画面との間隔が拡がる。
【００１５】
そして、外面層と携帯電子機器の画面との間隔が拡がった分、携帯電子機器の使用者が指で画面保護シート越しに画面を押操作したり、画面保護シート表面の汚れを拭ったりした際の画面保護シートと画面との接触領域の広がりが抑えられる。
【００１６】
これにより、前記携帯電子機器用の画面保護シートでは、使用者が画面保護シートの表面から指を離した後等、外面層の撓みの要因が除かれた後に外面層が画面から離れ易くなるため、携帯電子機器の画面と対応する領域に発生した干渉縞が消え易くなる。
【００１７】
また、前記携帯電子機器用の画面保護シートでは、貼付層の厚みが増すことで連通領域が拡がるため、内部領域と外部の間での空気の流通が円滑になり、画面に向かって撓むように変形した外面層の形状が復帰し易くなる。従って、前記携帯電子機器用の画面保護シートでは、発生した干渉縞がより一層消え易くなっている。
【００１８】
本発明の携帯電子機器用の画面保護シートにおいて、前記外面層の裏面側で少なくとも携帯電子機器の画面に対応する領域に平板状の中間層を備え、該中間層における前記外面層側とは反対側の一面には、複数の凸部が形成されていてもよい。
【００１９】
かかる構成によれば、外面層が押された際に、中間層が携帯電子機器の画面に接触することになるが、中間層の一面には複数の凸部が形成されているため、中間層と携帯電子機器の画面との接触面積を抑えることができる。
【００２０】
すなわち、前記携帯電子機器用の画面保護シートでは、携帯電子機器の画面と、該画面に接触する中間層との密着性が抑えられるため、外面層の撓みの要因が除かれた際に中間層が画面から離れ易くなる。
【００２１】
本発明の携帯電子機器用の画面保護シートにおいて、前記貼付層の厚みが前記外面層の厚みの４０％〜６０％となっていてもよい。
【００２２】
かかる構成によれば、外面層を押した際の携帯電子機器の画面への接触し易さと、外面層から指を離した際の画面からの離れ易さとを両立させることができるため、携帯電子機器の画面がタッチパネルから出力される映像を映し出すものである場合は、タッチパネルの操作性を損なわずに干渉縞を消え易くすることができる。
【００２３】
また、本発明の携帯電子機器用の画面保護シートにおいて、前記外面層の厚みが０．３３ｍｍであり、前記貼付層の厚みが０．１２５ｍｍ〜０．２ｍｍであってもよい。
【００２４】
かかる構成においても、外面層を押した際の携帯電子機器の画面への接触し易さと、外面層から指を離した際の画面からの離れ易さとを両立させることができるため、携帯電子機器の画面がタッチパネルから出力される映像を映し出すものである場合においては、タッチパネルの操作性を損なわずに干渉縞を消え易くすることができる。
【発明の効果】
【００２５】
以上のように、本発明の携帯電子機器用の画面保護シートによれば、基材シートの撓みの要因が除かれた後に干渉縞が消え易くなるという優れた効果を奏し得る。
【図面の簡単な説明】
【００２６】
【図１】図１において、（ａ）は本発明の一実施形態に係る携帯電子機器用の画面保護シートを表側から見た図であり、（ｂ）は裏側から見た図である。
【図２】図２は、同実施形態に係る携帯電子機器用の画面保護シートを下端側から見た図である。
【図３】図３は、図２の領域Ａの拡大図である。
【図４】図４は、同実施形態に係る携帯電子機器用の画面保護シートの中間層の平面図である。
【図５】図５は、同実施形態に係る携帯電子機器用の画面保護シートの貼付層の平面図である。
【図６】図６は、同実施形態に係る携帯電子機器用の画面保護シートを貼り付ける対象とする携帯電子機器の平面図である。
【図７】図７は、同実施形態に係る携帯電子機器用の画面保護シートの説明図であって、（ａ）は外面層越しに携帯電子機器の画面を押している状態の説明図であり、（ｂ）は外面層から指を離した状態の説明図である。
【図８】図８は、従来の携帯電子機器用の画面保護シートの斜視図である。
【図９】図９は、従来の携帯電子機器用の画面保護シートを裏側から見た図である。
【発明を実施するための形態】
【００２７】
以下、本発明の一実施形態に係る携帯電子機器用の画面保護シート（以下、画面保護シートと称する）について、添付図面を参照しつつ説明する。
【００２８】
画面保護シートは、タブレットやスマートフォン等の携帯電子機器の画面を傷や汚れから保護するためのものである。なお、本実施形態では、図６に示すような、携帯電子機器としてのスマートフォン５の画面５０を保護するものであることを前提として以下の説明を行うこととする。
【００２９】
また、画面５０とは、液晶素子や、タッチパネルから出力される映像（画像や動画等）を携帯電子機器の使用者が視認できるようにして映し出す面のことであり、本実施形態では、後述するフロントカバー５１により画面が構成されている。
【００３０】
画面保護シートの説明に先立ち、スマートフォン５の構造について説明する。スマートフォン５の前面は、フロントカバー５１によって構成されており、該フロントカバー５１の背面側には、タッチパネル５２、操作ボタン５３、撮像素子５４、スピーカー５５がそれぞれ配置されている。
【００３１】
フロントカバー５１は、平面視において略長方形状となるように形成されている。そして、フロントカバー５１には、平な平面領域５１０と、該平面領域５１０の外周全周から外方に向かって延出し且つ横断面形状が丸みを帯びた形状（湾曲した形状）の端縁領域５１１とが含まれている（図７（ａ）及び（ｂ）参照）。
【００３２】
また、フロントカバー５１には、例えば、操作ボタン５３、撮像素子５４、スピーカー５５の配置位置に合わせて貫通孔が形成されており、操作ボタン５３、撮像素子５４、スピーカー５５がスマートフォン５の前面側で露出するようになっている。
【００３３】
タッチパネル５２は、フロントカバー５１の略中央部と対応する位置に配置されている。そのため、フロントカバー５１（スマートフォン５の前面）には、タッチパネル５２が重ねて配置される表示領域と、該表示領域の外周回りの外枠領域とが含まれており、表示領域は透明である。
【００３４】
本実施形態に係る画面保護シート１は、図１（ａ）、図１（ｂ）、及び図２に示すように、外周部２０全周に亘って縁部２１が湾曲した外面層２と、平板状であり且つ前記外面層２に重なるようにして設けられた中間層３と、該中間層３に重なるようにして設けられた貼付層４とを備えている。
【００３５】
本実施形態では、外面層２、中間層３、貼付層４が重なりあう方向を積層方向と称し、該積層方向に直交する方向を内外方向と称して以下の説明を行うこととする。
【００３６】
外面層２には、図２に示すように、平板状の平面部２２が含まれており、該平面部２２の外周全周に亘って縁部２１が連続している。そのため、外面層２の外周部２０は、平面部２２の外周部と縁部２１とで構成されている。
【００３７】
平面部２２の一方の板面（以下、裏面と称する）は、画面５０側に向けて配置される。平面部２２の他方の板面（以下、表面と称する）は、画面保護シート１の表面を構成している。すなわち、平面部２２の表面とは、携帯電子機器の使用者が触れる面のことである。
【００３８】
縁部２１は、平面部２２の外周から外方に延出するとともに、裏面側に向かうように湾曲している。換言すると、縁部２１は、積層方向（外面層２の厚み方向）で湾曲した形状であり、外周面が外面層２の表面の一部となり、内周面が外面層２の裏面の一部となるように構成されている。
【００３９】
さらに、本実施形態に係る外面層２には、図１（ａ）に示すように、複数の貫通孔２３が形成されている。本実施形態の外面層２には、貫通孔２３として、操作ボタン５３に対応する位置に形成された操作用外孔２３０と、撮像素子５４に対応する位置に形成された撮像用外孔２３１と、スピーカー５５に対応する位置に形成された通音用外孔２３２とが形成されている。
【００４０】
外面層２は、ガラス製である。外面層２の厚みＷ１（図３参照）は、０．０７ｍｍ〜０．４ｍｍの間で設定することができ、本実施形態では、０．３３ｍｍに設定されている。
【００４１】
中間層３は、シート材の一面を外面層２の裏面に接合することによって構成されている。
【００４２】
また、中間層３は、外面層２に接合されている一面とは反対側の一面に対して複数の凸部が形成されている。すなわち、中間層３は、いわゆる、ドットフィルムで構成されている。
【００４３】
本実施形態に係る中間層３には、図４に示すように、外面層２の貫通孔２３に対して連通する連通孔３０が形成されている。本実施形態の中間層３には、連通孔３０として、操作用外孔２３０に連通する操作用連通孔３００と、撮像用外孔２３１に連通する撮像用連通孔３０１と、通音用外孔２３２に連通する通音用連通孔３０２とが形成されている。
【００４４】
中間層３の厚みＷ２（図３参照）は、約０．０７５ｍｍに設定されている。また、中間層３の凸部（ドット）の間隔は、０．５ｍｍ〜１．０ｍｍの間で設定することができ、本実施形態では、０．８ｍｍに設定されている。
【００４５】
貼付層４は、図５に示すように、外面層２の外周部２０に対応する位置で、外面層２の外周部２０よりも内側に対応する領域、すなわち、携帯電子機器の画面５０と対応する領域を取り囲むように設けられている。なお、本実施形態では、貼付層４により取り囲まれる領域を内部領域４０と称する。
【００４６】
また、貼付層４には、内部領域４０と外部とを連通させるための連通領域４１が形成されている。本実施形態の貼付層４には、連通領域４１として、前記内外方向（本実施形態では、スマートフォン５の長手方向に沿う方向）において内部領域４０と外部とを連通させるように形成された開口領域４１０と、内部領域４０側から前記内外方向（本実施形態では、スマートフォン５の長手方向に沿う方向）で外側に向けて凹状となるように形成された凹状領域４１１とが形成されている。
【００４７】
開口領域４１０は、図１（ｂ）に示すように、操作用外孔２３０と操作用連通孔３００とに連続している。そのため、本実施形態の内部領域４０は、開口領域４１０、操作用外孔２３０、操作用連通孔３００を介して外部（スマートフォン５の周囲の外気）と連通している。
【００４８】
また、凹状領域４１１は、前記積層方向において、撮像用外孔２３１、通音用外孔２３２、撮像用連通孔３０１、通音用連通孔３０２、と重なる領域を含むように形成されている。そのため、内部領域４０は、凹状領域４１１、撮像用外孔２３１、通音用外孔２３２、及び凹状領域４１１、撮像用連通孔３０１、通音用連通孔３０２を介しても外部に連通している。
【００４９】
なお、貼付層４では、開口領域４１０が前記内外方向において貫通するように形成される一方、凹状領域４１１は前記内外方向において非貫通であるため、貼付層４全体を一枚の部材として扱うことができる。そのため、画面保護シート１の製造時においては、外面層２に対する貼付層４の貼付位置の位置合わせが容易になる。
【００５０】
さらに、本実施形態に係る貼付層４は、図３に示すように、粘着性を有する一対の粘着層４２と、該一対の粘着層４２の間に介在する基材層４３とを有するように構成されている。
【００５１】
なお、貼付層４全体としての厚みＷ３（図３参照）は、０．１５ｍｍ〜０．２ｍｍの間で設定されていればよく、本実施形態では、０．２ｍｍに設定されている。
【００５２】
貼付層４の厚みは、外面層２の厚みの約４０％〜６０％となるように設定してもよいが、本実施形態では、外面層２の厚みの約６０％に設定している。
【００５３】
本実施形態に係る画面保護シート１の構成は、以上の通りである。本実施形態に係る画面保護シート１では、スマートフォン５の前面に貼り付けられる貼付層４の一対の粘着層４２の間に基材層４３が設けられているため、外面層２でスマートフォン（携帯電子機器）５の画面５０を覆うようにして貼付層４をスマートフォン５に貼り付けた際に、基材層４３の厚みの分だけ外面層２とスマートフォン５の画面５０（表示領域）との間隔が拡がる。
【００５４】
そして、外面層２とスマートフォン５の画面５０との間隔が拡がった分、図７（ａ）に示すように、スマートフォン５の使用者が指で外面層２越しに画面５０（タッチパネル５２）を押したり、画面保護シート１の汚れを拭ったりした際の画面保護シート１と画面５０との接触領域の拡がりが抑えられる。なお、本実施形態では、中間層３が画面５０に対して対向配置されているため、中間層３と画面５０との接触領域の拡がりが抑えられる。
【００５５】
これにより、画面保護シート１では、画面５０との接触領域の拡がりが抑えられた分、外面層２に発生する干渉縞のサイズ自体が小さく抑えられる。また、使用者が外面層２の表面から指を離した後等、外面層２の撓みの要因が除かれた後に画面保護シート１（本実施形態では、中間層３）が画面５０から離れ易くなるため、スマートフォン５の画面５０と対応する領域に発生した干渉縞が消え易くなる（速やかに消える）という効果を奏し得る。
【００５６】
また、本実施形態の中間層３では、外面層２側とは反対側の一面に対して複数の凸部が形成されているため、中間層３と画面５０との接触面積が抑えられる。従って、スマートフォン５の画面５０と、該画面５０に接触する中間層３との密着性が抑えられるため、外面層２の撓みの要因が除かれた際に中間層３が画面５０から離れ易くなる。
【００５７】
なお、本実施形態では、中間層３の凸部（ドット）の間隔を０．８ｍｍに設定することにより、画面５０の視認性が損なわれないようにしつつ、中間層３と画面５０との密着性を抑える効果を高めている。これにより、本実施形態に係る画面保護シート１は、画面５０に映し出された画像や動画等の見易さと、干渉縞の消え易さとを両立できるようにしている。
【００５８】
さらに、画面保護シート１がスマートフォン５の画面５０に貼り付けられると、連通領域４１（開口領域４１０、凹状領域４１１）が内部領域４０と内部領域４０の外部との間で空気を流通させる流路となる。そのため、スマートフォン５の画面５０側に撓んだ画面保護シート１（外面層２、及び中間層３）の形状復帰に伴って、内部領域４０には、連通領域４１を通じて外部の空気が入り込むため、画面保護シート１の形状が復帰し易くなっている。
【００５９】
さらに、本実施形態の画面保護シート１では、貼付層４の厚みが増すことで連通領域４１（連通領域４１の断面積）が拡がっている（より具体的には、前記積層方向における連通領域４１の幅が拡がっている）ため、使用者が外面層２から指を離した際、すなわち、画面５０側に向けて撓んだ外面層２及び中間層３の形状が復帰する際において、内部領域４０に空気が円滑に流入する。また、貼付層４の厚みが増すことで画面操作時における画面保護シート１の撓み量が大きくなっているため、画面保護シート１の反発力（撓みを減少させる方向の力）も大きくなる。従って、外面層２及び中間層３と画面５０の間の気圧が低下した状態が維持され難くなり、画面保護シート１の形状が復帰し易くなる。
【００６０】
そして、本実施形態では、外面層２の厚みを０．３３ｍｍとし、貼付層４の厚みを０．２ｍｍとする、すなわち、貼付層４の厚みを外面層２の厚みの約６０％とすることで、外面層２を押した際に、外面層２が画面５０に接触し難くなることが防止され、且つ、外面層２が画面５０から離れ難くなることも防止される。従って、画面保護シート１は、スマートフォン５の画面５０に取り付けられた状態において、タッチパネル５２の操作性を損なわずに干渉縞を消え易くすることができる。
【００６１】
さらに、複数の凸部（ドット）が形成された中間層３では、凸部の間隔が小さくなるにつれて、画面５０との密着性を抑える効果が高まる一方で透過性（すなわち、画面５０の視認性）が低くなり、凸部の間隔が広くなるにつれて、画面５０との密着性を抑える効果が下がる一方で透過性（すなわち、画面５０の視認性）が高くなる。
【００６２】
なお、本発明の画面保護シートは、上記一実施形態に限定されるものではなく、本発明の要旨を逸脱しない範囲において種々変更を行うことは勿論である。
【００６３】
上記実施形態において、画面保護シート１は、平面視において長方形状であったが、該画面保護シート１の形状は、貼り付ける対象とする携帯電子機器の形状に合わせて変更可能である。
【００６４】
上記実施形態において、外面層２に形成された貫通孔２３（操作用外孔２３０、撮像用外孔２３１、通音用外孔２３２）や、中間層３に形成された連通孔３０（操作用連通孔３００、撮像用連通孔３０１、通音用連通孔３０２）、貼付層４の連通領域４１（開口領域４１０、凹状領域４１１）は、スマートフォン５の操作ボタン５３、撮像素子５４、スピーカー５５の配置に対応する位置に形成されていればよい。
【００６５】
上記実施形態において、貼付層４には、一つの開口領域４１０が形成されていたが、例えば、貼付層４には、二つ以上の開口領域４１０が形成されていてもよい。
【００６６】
上記実施形態において、開口領域４１０は、スマートフォン５の長手方向に沿う方向において、内部領域４０と外部とを連通させるように形成されていたが、この構成に限定されない。例えば、開口領域４１０は、スマートフォン５の横幅方向に沿う方向において、内部領域４０と外部とを連通させるように形成されていてもよい。すなわち、開口領域４１０は、貼付層４の側部に設けられていてもよい。
【００６７】
上記実施形態において、貼付層４には、一つの凹状領域４１１が形成されていたが、例えば、貼付層４には、二つ以上の凹状領域４１１が形成されていてもよい。
【００６８】
上記実施形態において、凹状領域４１１は、スマートフォン５の長手方向に沿う方向で外側に向けて凹状のとなるように形成されていたが、この構成に限定されない。例えば、凹状領域４１１は、で外側に向けて凹状のとなるように形成されていてもよい。すなわち、凹状領域４１１は、貼付層４の側部に設けられていてもよい。
【００６９】
このように、連通領域４１は、外面層２（又は中間層３）と、貼付層４と、貼付層４が貼り付けられた画面５０に囲まれた領域を外部に連通させることができれば、数や形状は特に問わない。
【符号の説明】
【００７０】
１…画面保護シート、２…外面層、３…中間層、４…貼付層、５…スマートフォン、２０…外周部、２１…縁部、２２…平面部、２３…貫通孔、３０…連通孔、４０…内部領域、４１…連通領域、４２…粘着層、４３…基材層、５０…画面、５１…フロントカバー、５２…タッチパネル、５３…操作ボタン、５４…撮像素子、５５…スピーカー、２３０…操作用外孔、２３１…撮像用外孔、２３２…通音用外孔、３００…操作用連通孔、３０１…撮像用連通孔、３０２…通音用連通孔、４１０…開口領域、４１１…凹状領域、５１０…平面領域、５１１…端縁領域
【図１】
2018182641.tif 000003
【図２】
2018182641.tif 000004
【図３】
2018182641.tif 000005
【図４】
2018182641.tif 000006
【図５】
2018182641.tif 000007
【図６】
2018182641.tif 000008
【図７】
2018182641.tif 000009
【図８】
2018182641.tif 000010
【図９】
2018182641.tif 000011